(57)【要約】  空気調和機（１０）の運転モードの入力を受け付ける操作装置（４０）から運転モードを取得する室内機（３０）と、室内機（３０）と通信線（５０）を介して接続される室外機（２０）とを備える空気調和機（１０）の室外機（２０）であって、第１のファンおよび圧縮機を備える第１のアクチュエータ装置（２２）と、第１のアクチュエータ装置（２２）を制御し、室内機（３０）が取得した室内の温度情報および運転モードを室内機（３０）から取得する第１の運転制御部（２１）と、室内の温度情報および運転モードを保存する記憶部（２５）と、を備え、第１の運転制御部（２１）は、通信線（５０）に異常が発生した場合、室内の温度情報の代用値を、記憶部（２５）に保存されている室内の温度情報および運転モードを用いて決定し、代用値に基づいて第１のアクチュエータ装置（２２）を動作させる。
2020208709.tif 000002
【特許請求の範囲】
【請求項１】
空気調和機の運転モードの入力を受け付ける操作装置から前記運転モードを取得する室内機と、前記室内機と通信線を介して接続される室外機とを備える前記空気調和機の室外機であって、
第１のファンおよび圧縮機を備える第１のアクチュエータ装置と、
前記第１のアクチュエータ装置を制御し、前記室内機が取得した室内の温度情報および前記運転モードを前記室内機から取得する第１の運転制御部と、
前記室内の温度情報および前記運転モードを保存する記憶部と、
を備え、
前記第１の運転制御部は、
前記通信線に異常が発生した場合、前記室内の温度情報の代用値を、前記記憶部に保存されている前記室内の温度情報および前記運転モードを用いて決定し、前記代用値に基づいて前記第１のアクチュエータ装置を動作させる室外機。
【請求項２】
室内機と、
前記室内機と通信線を介して接続される請求項１に記載の室外機と、
を備える空気調和機。
【請求項３】
前記室外機は、
前記第１のアクチュエータ装置の動作可否を示す第１の設定情報を保持する第１の識別部、
を備え、
前記室内機は、
第２のファンを備える第２のアクチュエータ装置と、
前記第２のアクチュエータ装置を制御する第２の運転制御部と、
前記第２のアクチュエータ装置の動作可否を示す第２の設定情報を保持する第２の識別部と、
を備え、
前記第１の設定情報が動作可を示し、前記第２の設定情報が動作可を示す場合、
前記室外機が備える第１の運転制御部は、
前記第１のアクチュエータ装置を動作させ、
前記第２の運転制御部は、
前記第２のアクチュエータ装置を動作させる請求項２に記載の空気調和機。
【請求項４】
前記室内機は、
メッセージを表示させる操作装置と接続し、
前記操作装置は、
ディスプレイを備え、
前記第２の運転制御部は、
前記ディスプレイに前記通信線に異常が発生していることを注意喚起する前記メッセージを表示させる請求項３に記載の空気調和機。
【発明の詳細な説明】
【技術分野】
【０００１】
本発明は、室内機と通信線を介して接続される室外機および空気調和機に関する。
【背景技術】
【０００２】
空気調和機は室内機と室外機とで構成され、室内機と室外機とは通信線を介して、空調制御を行うための情報を送受信する。室外機は、室内機から送信される温度情報に基づいて動作する。このため、通信線に異常が発生し室外機が室内機から温度情報を取得できない場合、室外機が動作できないという問題があった。特許文献１は、通信線が故障した場合、室外機があらかじめ定められた制御で運転する空気調和機を開示する。
【先行技術文献】
【特許文献】
【０００３】
【特許文献１】特開平０５−２１５３７８号公報
【発明の概要】
【発明が解決しようとする課題】
【０００４】
しかしながら、特許文献１に記載の空気調和機は通信線に異常が発生した場合でも運転を継続することはできるが、室外機があらかじめ定められた制御、具体的には、圧縮機のインバータの周波数を一定とさせて運転する。このため、室外機が実際の室内の温度に適さない運転を行ってしまうという問題があった。【０００５】
本発明は、上記に鑑みてなされたものであって、室内機と室外機とを接続する通信線に異常が発生した場合でも、実際の室内の温度に適した運転を継続することができる室外機を得ることを目的とする。
【課題を解決するための手段】
【０００６】
上述した課題を解決し、目的を達成するために、本発明に係る室外機は、空気調和機の運転モードの入力を受け付ける操作装置から運転モードを取得する室内機と、室内機と通信線を介して接続される室外機とを備える空気調和機の室外機であって、第１のファンおよび圧縮機を備える第１のアクチュエータ装置と、第１のアクチュエータ装置を制御し、室内機が取得した室内の温度情報および運転モードを室内機から取得する第１の運転制御部と、室内の温度情報および運転モードを保存する記憶部と、を備え、第１の運転制御部は、通信線に異常が発生した場合、室内の温度情報の代用値を、記憶部に保存されている室内の温度情報および運転モードを用いて決定し、代用値に基づいて第１のアクチュエータ装置を動作させる。
【発明の効果】
【０００７】
本発明に係る室外機は、室内機と室外機とを接続する通信線に異常が発生した場合でも、実際の室内の温度に適した運転を継続することができるという効果を奏する。
【図面の簡単な説明】
【０００８】
【図１】実施の形態にかかる空気調和機の機能ブロックを示す図
【図２】実施の形態の制御回路の構成例を示す図
【図３】実施の形態にかかる室外機の動作の流れを示すフローチャート
【図４】実施の形態にかかる第１の運転制御部が代用値運転の実施の可否を決定するときの流れを示すフローチャート
【図５】実施の形態にかかる第２の運転制御部が代用値運転の実施の可否を決定するときの流れを示すフローチャート
【図６】実施の形態にかかる室外機および室内機の代用値運転の内容を示す図
【図７】第１の運転制御部が代用値を決定するときに用いる温度の変化を示す図
【発明を実施するための形態】
【０００９】
以下に、本発明の実施の形態に係る室外機および空気調和機を図面に基づいて詳細に説明する。なお、この実施の形態によりこの発明が限定されるものではない。
【００１０】
実施の形態．
図１は、実施の形態にかかる空気調和機の機能ブロックを示す図である。空気調和機１０は、室外機２０と、室内機３０と、操作装置４０とを備える。室外機２０と室内機３０とは、図示しない冷媒配管を介して接続される。冷媒が冷媒配管に充填され、冷媒配管を介して室外機２０と室内機３０との間を循環することで、空気調和機１０は室内と室外との間で熱交換を行う。室外機２０と室内機３０とはそれぞれ通信線５０と接続し、通信線５０を介して空調制御を行うための情報を送受信する。操作装置４０は、空気調和機１０の設定を変更するときに用いられる装置である。例えば、操作装置４０は、ディスプレイおよびボタンを備えるリモートコントローラである。使用者は操作装置４０を操作することで空気調和機１０の運転を開始または停止させることができる。また、使用者は操作装置４０を操作することで、空気調和機１０が設置される室内の温度の設定を変更することができる。空気調和機１０が設置される室内の温度は設定温度とも呼ばれる。また、使用者は、操作装置４０を操作することで、空気調和機１０を暖房または冷房で動作させる運転モードの設定を変更することができる。つまり、操作装置４０は、空気調和機１０の運転モードの入力を受け付ける。操作装置４０と室内機３０とは、通信線５０とは異なる通信線を用いて有線で通信する。または、操作装置４０と室内機３０とは、無線で通信する。操作装置４０で設定された内容は室内機３０に送信される。
【００１１】
室外機２０は、第１の運転制御部２１と、第１のアクチュエータ装置２２と、第１の識別部２３と、第１の温度検出部２４と、記憶部２５とを備える。第１の運転制御部２１は、第１のアクチュエータ装置２２の動作の制御を行う。また、第１の運転制御部２１は、通信線５０の異常を検知し、異常を検知した場合、操作装置４０が受け付けた運転モードの設定の情報を用いて、第１のアクチュエータ装置２２の制御を行う。第１の運転制御部２１の動作の詳細については後述する。第１のアクチュエータ装置２２は、圧縮機およびファンを備える。第１のアクチュエータ装置２２が備えるファンは、第１のファンとも呼ばれる。第１のアクチュエータ装置２２は、圧縮機を運転させることで冷媒を圧縮する。また、第１のアクチュエータ装置２２は、ファンを回転させ、室外機２０に備えられる熱交換器に風を当てることで熱交換を促す。第１の識別部２３は、操作装置４０からオンまたはオフの設定が入力され、オンまたはオフの設定を保持する。設定がオンであるとは、第１の識別部２３が記憶している設定情報がオンを示す値であることをいう。また、設定がオフであるとは、第１の識別部２３が記憶している設定情報がオフを示す値であることをいう。第１の識別部２３のオンまたはオフの設定の情報は、第１の設定情報と呼ばれ第１のアクチュエータ装置２２の動作可否を示す。第１の識別部２３がオンであるとは、第１のアクチュエータ装置２２が動作可であることを示す。第１の識別部２３がオフであるとは、第１のアクチュエータ装置２２が動作否であることを示す。なお、第１の識別部２３は、操作装置４０からオンまたはオフの設定が入力されるとしたが、例えば、空気調和機１０の外部の端末から設定が入力されるとしてもよい。第１の識別部２３の動作の詳細については後述する。
【００１２】
第１の温度検出部２４は、複数のサーミスタであり、屋外の温度、熱交換器の温度、および圧縮機付近の温度を検出する。第１の温度検出部２４は、検出した温度を第１の運転制御部２１に出力する。第１の運転制御部２１は、温度を取得された場所ごとに収集し、収集した温度を温度の情報として記憶部２５に出力する。第１の運転制御部２１は、収集した温度の情報を用いて第１のアクチュエータ装置２２を制御する。記憶部２５は、第１の運転制御部２１で収集された温度の情報をあらかじめ定められた期間保存する。また、記憶部２５は、通信線５０を介して、室内機３０から受け取った室内の温度の情報をあらかじめ定められた期間保存する。また、記憶部２５は、通信線５０を介して、操作装置４０で設定された設定温度および運転モードの情報を室内機３０から取得し、設定温度および運転モードを保存する。
【００１３】
室内機３０は、第２の運転制御部３１と、第２のアクチュエータ装置３２と、第２の識別部３３と、第２の温度検出部３４と、を備える。第２の運転制御部３１は、第２のアクチュエータ装置３２の動作の制御を行う。また、第２の運転制御部３１は、通信線５０の異常を検知し、異常を検知した場合、第２の識別部３３の情報と操作装置４０が受け付けた運転モードの設定の情報とを用いて、第２のアクチュエータ装置３２の制御を行う。第２の運転制御部３１の動作の詳細については後述する。第２のアクチュエータ装置３２は、ファンを備える。第２のアクチュエータ装置３２は、ファンを回転させることで室内に冷風または暖風を送る。第２のアクチュエータ装置３２が備えるファンは第２のファンとも呼ばれる。第２の識別部３３は、操作装置４０からオンまたはオフの設定が入力され、オンまたはオフの設定を保持する。オンまたはオフの設定は、第２のアクチュエータ装置３２の動作可否を示す。第２の識別部３３のオンまたはオフの設定の情報は、第２の設定情報と呼ばれ第２のアクチュエータ装置３２の動作可否を示す。第２の識別部３３がオンであるとは、第２のアクチュエータ装置３２が動作可であることを示す。第２の識別部３３がオフであるとは、第２のアクチュエータ装置３２が動作否であることを示す。なお、第２の識別部３３は、操作装置４０からオンまたはオフの設定が入力されるとしたが、例えば、空気調和機１０の外部の端末から設定が入力されるとしてもよい。第２の識別部３３の動作の詳細については後述する。
【００１４】
第２の温度検出部３４は、複数のサーミスタであり、室内の温度を検出する。また、第２の温度検出部３４は、検出した温度を第２の運転制御部３１に出力する。第２の運転制御部３１は、温度を取得された場所ごとに収集し、収集した温度の情報を用いて第２のアクチュエータ装置３２を制御する。また、第２の運転制御部３１は収集した温度の情報を、通信線５０を介して、記憶部２５に送信する。
【００１５】
実施の形態にかかる空気調和機１０のハードウェア構成について説明する。第１の運転制御部２１、第１の識別部２３、第２の運転制御部３１、および第２の識別部３３は、マイクロコンピュータによって動作し、マイクロコンピュータは各処理を行う電子回路である処理回路により実現される。
【００１６】
本処理回路は、専用のハードウェアであっても、メモリ及びメモリに格納されるプログラムを実行するＣＰＵ（Central  Processing  Unit、中央演算装置）を備える制御回路であってもよい。ここでメモリとは、例えば、ＲＡＭ（Random  Access  Memory）、ＲＯＭ（Read  Only  Memory）、フラッシュメモリなどの、不揮発性または揮発性の半導体メモリなどが該当する。図２は、実施の形態の制御回路の構成例を示す図である。この制御回路は例えば、図２に示す構成の制御回路１００となる。処理回路が、専用のハードウェアである場合、処理回路は、例えば、ＡＳＩＣ（Application  Specific  Integrated  Circuit）、ＦＰＧＡ（Field  Programmable  Gate  Array）、またはこれらを組み合わせたものである。
【００１７】
図２に示すように、制御回路１００は、ＣＰＵであるプロセッサ１００ａと、メモリ１００ｂとを備える。図２に示す制御回路１００により実現される場合、プロセッサ１００ａがメモリ１００ｂに記憶された、各処理に対応するプログラムを読みだして実行することにより実現される。また、メモリ１００ｂは、プロセッサ１００ａが実施する各処理における一時メモリとしても使用される。記憶部２５は、メモリ１００ｂで構成される。
【００１８】
室外機２０の動作について説明する。図３は、実施の形態にかかる室外機２０の動作の流れを示すフローチャートである。空気調和機１０の電源が入ると、室外機２０の電源が入る（ステップＳ１）。室外機２０の電源が入ると、第１の運転制御部２１は記憶部２５から、第１のアクチュエータ装置２２の運転の制御に用いる運転情報を取得する（ステップＳ２）。第１の運転制御部２１が運転情報を取得しているとき、第１のアクチュエータ装置２２は停止中である（ステップＳ３）。運転情報には第１の運転制御部２１で収集された温度の情報、第２の運転制御部３１で収集された室内の温度情報、設定温度の情報、運転モードの情報が含まれる。
【００１９】
第１のアクチュエータ装置２２の停止中、第１の運転制御部２１は、通信線５０を介して操作装置４０から運転情報とは異なる、運転を開始させる情報を受信したかを確認し、かつ通信線５０の異常が確定していないか確認する（ステップＳ４）。通信線５０を介して操作装置４０から運転を開始させる情報を受信し、かつ通信線５０の異常が確定していない場合（ステップＳ４，Ｙｅｓ）、第１の運転制御部２１は、第１のアクチュエータ装置２２を動作させる（ステップＳ５）。通信線５０を介して操作装置４０から運転を開始させる情報を受信しない場合または、通信線５０の異常が確定している場合（ステップＳ４，Ｎｏ）、第１の運転制御部２１は、第１のアクチュエータ装置２２を動作させず処理を完了する。通信線５０の異常が確定している場合とは、例えば、ステップＳ１で空気調和機１０の電源が入る前に、空気調和機１０が動作しており、このときに通信線５０の異常が確認されこの異常が正常になっていない状態のまま空気調和機１０の電源が切られた場合が挙げられる。
【００２０】
第１のアクチュエータ装置２２の動作中においても、第１の運転制御部２１は、第１の温度検出部２４で検出された温度情報を収集する（ステップＳ６）。また、第１の運転制御部２１は、運転情報を収集する（ステップＳ７）。第１の運転制御部２１は、収集した温度情報および運転情報をあらかじめ定められた周期で、記憶部２５に出力する。記憶部２５は、温度情報および運転情報を保存する（ステップＳ８）。記憶部２５に保存した情報は、通信線５０に異常が発生したときに室外機２０が行う代用値運転を実施するときに使用される。代用値運転の詳細については後述する。
【００２１】
第１の運転制御部２１は、第１のアクチュエータ装置２２の動作中に、操作装置４０から運転を停止させる情報を受信した、または通信線５０に通信異常が発生し、通信異常が発生したことが確定したか確認する（ステップＳ９）。第１のアクチュエータ装置２２の動作中に、操作装置４０から運転を停止させる情報を受信した、または通信線５０に通信異常が発生し、通信異常が発生したことが確定した場合（ステップＳ９，Ｙｅｓ）、第１の運転制御部２１は第１のアクチュエータ装置２２を停止させる（ステップＳ１０）。第１のアクチュエータ装置２２の動作中に、操作装置４０から運転を停止させる情報を受信していない、または通信線５０に通信異常が発生し、通信異常が発生したことが確定していない場合（ステップＳ９，Ｎｏ）、第１の運転制御部２１は、通常の運転を行う。また、処理はステップＳ６に戻る。ステップＳ９の通信異常が発生したことが確定した場合とは、例えば、通信異常の状態があらかじめ定められた時間以上続いた場合が挙げられる。室外機２０の通常の運転のときは、第１の運転制御部２１は、第２の運転制御部３１が送信する室内機３０の温度情報、室外機２０の温度情報、および設定温度を用いて第１のアクチュエータ装置２２を制御する。具体的には、例えば、運転モードが暖房である場合、第１の運転制御部２１は、室内機３０の温度情報よりも設定温度の方が高いとき、圧縮機を駆動させる。また、例えば、圧縮機の温度があらかじめ定められた温度よりも高い場合、第１の運転制御部２１は、第１のファンを圧縮機の温度があらかじめ定められた温度よりも低い場合にくらべて速く回転させる。
【００２２】
代用値運転について説明する。代用値運転を実施するとは、通信線５０に異常が発生したときに、第１の運転制御部２１が、第１の識別部２３の設定および運転モードに応じて、第１のアクチュエータ装置２２に備えられる圧縮機およびファンを制御することである。ここで、第１の運転制御部２１が用いる運転モードは、通信線５０の通信異常が発生する前に室内機３０から取得した運転モードである。また、代用値運転を実施しないとは、通信線５０に異常が発生したときに、第１の運転制御部２１が、第１のアクチュエータ装置２２に備えられる圧縮機およびファンを停止するという事である。代用値運転は、通信線５０に異常が発生したと考えられるときに一時的に実施される運転であり、通信線５０に異常が発生したことが確定した場合、第１の運転制御部２１が、第１のアクチュエータ装置２２を停止させる。
【００２３】
図４は、実施の形態にかかる第１の運転制御部２１が代用値運転の実施の可否を決定するときの流れを示すフローチャートである。第１の運転制御部２１は、第１のアクチュエータ装置２２が動作中であるか確認する（ステップＳ１１）。第１のアクチュエータ装置２２が動作中である場合（ステップＳ１１，Ｙｅｓ）、第１の運転制御部２１は、通信線５０の通信状態を監視して、通信異常が発生したか検知する（ステップＳ１２）。通信線５０の異常を検知する方法は、例えば、第１の運転制御部２１と第２の運転制御部３１とが定期的に温度情報を送受信させるようにし、第１の運転制御部２１が、あらかじめ定められた時間を経過しても温度情報を受信できないとき、通信線５０に異常が発生したと検知する方法が挙げられる。第１のアクチュエータ装置２２が停止中である場合（ステップＳ１１，Ｎｏ）、第１の運転制御部２１は、通信線５０の異常の検知は実施せず処理は完了する。
【００２４】
通信異常を検知した場合（ステップＳ１２，Ｙｅｓ）、第１の運転制御部２１は、第１の識別部２３の設定がオンであるか確認する（ステップＳ１３）。第１の識別部２３の設定がオンである場合（ステップＳ１３，Ｙｅｓ）、第１の運転制御部２１は、代用値運転を実施する（ステップＳ１４）。第１の識別部２３の設定がオフである場合（ステップＳ１３，Ｎｏ）、第１の運転制御部２１は、代用値運転を実施せず、通信異常が発生したことを確定させ第１のアクチュエータ装置２２を停止させる（ステップＳ１５）。第１の識別部２３および第２の識別部３３の設定のオン、オフは空気調和機１０の設置時に設置業者によって設定されても良いし、操作装置４０によって設定されてもよい。通信異常を検知しない場合（ステップＳ１２，Ｎｏ）、処理は最初に戻る。
【００２５】
代用値運転を実施するとき、第１の運転制御部２１は、記憶部２５から取得した情報を基に代用値を決定し、代用値を用いて第１のアクチュエータ装置２２を動作させる（ステップＳ１６）。具体的には、第１の運転制御部２１は、通信線５０に異常が発生した場合、室内の温度情報の代用値を、記憶部２５に保存されている室内の温度情報および運転モードを用いて決定し、代用値に基づいて第１のアクチュエータ装置２２を動作させる。代用値とは、代用値運転を実施するときに設定される温度の値であり、第１の運転制御部２１は、代用値に応じて第１のアクチュエータ装置２２を制御する。代用値の詳細については後述する。
【００２６】
代用値運転の実施中は、第１の運転制御部２１は、通信異常が発生していても第１のアクチュエータ装置２２の動作を停止することなく、室外機２０の運転を継続させる。代用値運転の実施中も第１の運転制御部２１は通信線５０の通信状態の異常の検知を実施し、通信状態が正常に戻った場合は、通信異常がなくなったとして、代用値運転を終了し、通常の運転に戻る。
【００２７】
図５は、実施の形態にかかる第２の運転制御部３１が代用値運転の実施の可否を決定するときの流れを示すフローチャートである。第２の運転制御部３１は、第２のアクチュエータ装置３２が動作中であるか確認する（ステップＳ２１）。第２のアクチュエータ装置３２が動作中である場合（ステップＳ２１，Ｙｅｓ）、第２の運転制御部３１は、通信線５０の通信状態を監視して、通信異常が発生したか検知する（ステップＳ２２）。第２のアクチュエータ装置３２が停止中である場合（ステップＳ２１，Ｎｏ）、第２の運転制御部３１は、通信線５０の異常の検知は実施せず処理は完了する。
【００２８】
通信異常の発生を検知した場合（ステップＳ２２，Ｙｅｓ）、第２の運転制御部３１は、第２の識別部３３の設定がオンであるか確認する（ステップＳ２３）。第２の識別部３３の設定がオンである場合（ステップＳ２３，Ｙｅｓ）、第２の運転制御部３１は、代用値運転を実施する（ステップＳ２４）。第２の識別部３３の設定がオフである場合（ステップＳ２３，Ｎｏ）、第２の運転制御部３１は、代用値運転を実施せず、通信異常が発生したことを確定させ第２のアクチュエータ装置３２を停止させる（ステップＳ２５）。また、第２の運転制御部３１は、通信異常が発生したことを知らせる第１の表示コードを操作装置４０に送信する。操作装置４０は、第１の表示コードを、ディスプレイに表示する。通信異常を検知しない場合（ステップＳ２２，Ｎｏ）、処理は最初に戻る。
【００２９】
代用値運転を実施するとき、第２の運転制御部３１は、第１の識別部２３および第２の識別部３３の設定に応じた制御を行う（ステップＳ２６）。代用値運転を実施するときの第２の運転制御部３１の動作は後述する。第２の運転制御部３１は、代用値運転中であることを知らせる注意喚起のための第２の表示コードを操作装置４０に送信する（ステップＳ２７）。操作装置４０は、第２の表示コードを、ディスプレイに表示させる。第２の運転制御部３１は、代用値運転の実施中においても通信線５０の通信状態の異常の検知を実施し、通信状態が正常に戻った場合は、代用値運転を終了し、通常の運転に戻る（ステップＳ２８）。第２の運転制御部３１は、通常の運転に戻ったとき、操作装置４０に第２の表示コードの表示を停止させる。
【００３０】
図６は、実施の形態にかかる室外機２０および室内機３０の代用値運転の内容を示す図である。室外機２０と室内機３０とは通信が正常な間に、第１の識別部２３および第２の識別部３３の設定の内容を共有する。室外機２０において、第１の識別部２３の設定がオフである場合、第１の運転制御部２１は、第１のアクチュエータ装置２２の圧縮機およびファンを停止する。第１の識別部２３の設定がオンであって、第２の識別部３３の設定がオフである場合、第１の運転制御部２１は、第１のアクチュエータ装置２２の圧縮機およびファンの運転を継続する。第１の識別部２３の設定がオンであって、第２の識別部３３の設定がオフの場合、第１の運転制御部２１は、代用値運転を実施しない。第１の識別部２３の設定がオンであって、第２の識別部３３の設定がオフの場合に代用値運転を実施しない理由は、第１のアクチュエータ装置２２が備えるファンおよび圧縮機が動作し、第２のアクチュエータ装置３２が備えるファンが動作しない場合、熱交換に不具合が生じるためである。
【００３１】
室内機３０において、第２の識別部３３の設定がオフであって、第１の識別部２３の設定がオフである場合、第２の運転制御部３１は、第２のアクチュエータ装置３２のファンを停止させる。第２の識別部３３の設定がオフであって、第１の識別部２３の設定がオンである場合、第２の運転制御部３１は、代用値運転を実施しない。第２の識別部３３の設定がオンであって、第１の識別部２３の設定がオフであって、通信異常となる前に操作装置４０から取得した運転モードが冷房である場合は、第２の運転制御部３１は、送風の役割として、第２の温度検出部３４が取得する室内の温度が設定温度に達するまでファンを運転させる。
【００３２】
第２の識別部３３がオンであって、第１の識別部２３の設定がオフであって、通信異常となる前に操作装置４０から取得した運転モードが暖房である場合は、ファンは冷風を送ることになるため第２の運転制御部３１は、第２のアクチュエータ装置３２のファンを停止させる。第２の識別部３３がオンであって、第１の識別部２３がオンである場合、第２の運転制御部３１は、運転モードにかかわらず第２のアクチュエータ装置３２のファンを第２の温度検出部３４が取得する室内の温度が設定温度に達するまで動作させる。また、第２の運転制御部３１は、第２の識別部３３の設定がオフである場合、操作装置４０に通信異常を示す第１の表示コードを表示させる。また、第２の運転制御部３１は、第２の識別部３３がオンである場合、操作装置４０に注意喚起のメッセージを示す第２の表示コードを表示させる。
【００３３】
代用値について説明する。図７は、第１の運転制御部２１が代用値を決定するときに用いる温度の変化を示す図である。図７において、縦軸は室内温度を示す。図７において、横軸は、時間を示す。また、図７は、空気調和機１０の運転モードが冷房であるときの図である。温度５１は、操作装置４０によって空気調和機１０の運転が開始したときの温度である。温度５２および５４は、空気調和機１０の運転によって室内温度が下がり、操作装置４０で設定した温度に達したときの温度である。温度５３および５５は、操作装置４０で設定した温度に達したことで空気調和機１０の運転が一旦停止したことによって室内温度が上がり、再度空気調和機１０の運転が再開するときの温度である。温度５１〜５５は、室内機３０の温度情報に含まれる情報である。図７においては、温度５２が設定温度である。
【００３４】
第１の運転制御部２１は、室内の温度情報の代用値を、窓の数、日当たり、室内の在籍人数などの室内の環境が大きく変わらないことを前提として、記憶部２５に保存される第２の温度検出部３４が検出する室内の温度情報および運転モードを用いて決定する。また、図７では、空気調和機１０の運転により温度５１から室内温度が下がり、設定温度すなわち温度５２に達すると第１のアクチュエータ装置２２の圧縮機が停止する。この後、室内温度が上がり温度５３に達することで、第１のアクチュエータ装置２２の圧縮機が動作する。代用値運転では、これらの動作を繰り返す前提で空気調和機１０を動作させる。具体的には、例えば、運転モードが冷房である場合、記憶部２５に保存される第２の温度検出部３４が検出する室内の温度情報の中で一番高い温度、つまり温度５１を代用値とすることが挙げられる。また、例えば、運転モードが暖房である場合、第１の運転制御部２１は、記憶部２５に保存される第２の温度検出部３４が検出する室内の温度情報の中で一番低い温度を代用値とすることが挙げられる。
【００３５】
しかしながら、代用値運転中は、第１の運転制御部２１は、最新の室内の温度情報を得ることができない。このため、第１の運転制御部２１は、いつ室内が設定温度に達したかわからない。したがって、第１の運転制御部２１は、第１のアクチュエータ装置２２の圧縮機の動作を制御するために、例えば、室内の温度が温度５１から温度５２に達したときの圧縮機の動作を継続させた時間と、温度５２から温度５３に達したときの圧縮機の停止を継続させた時間とを記憶部２５に保存させる。また、第１の運転制御部２１は、代用値運転中に記憶部２５に保存される圧縮機の動作を継続させた時間および圧縮機の停止を継続させた時間で、圧縮機を動作および停止させる。これらの動作を行うことで、第１の運転制御部２１は、圧縮機を制御することができる。
【００３６】
室内の環境は大きく変わることはないため、第１の運転制御部２１は、空気調和機１０の過去の室内の温度情報を用いて代用値運転中、室外機２０の圧縮機およびファンの運転を実施する。なお、代用値運転を実施するとき第１の運転制御部２１は、第１のアクチュエータ装置２２つまり第１のファンおよび圧縮機を制御するが、このとき第１のファンのみまたは圧縮機のみを動作させるようにしてもよい。
【００３７】
以上説明したように、本実施の形態では、室内機３０と室外機２０とを接続する通信線５０が故障した場合、第１の運転制御部２１は、室内機３０の室内の温度情報を用いて代用する温度を求め室外機２０に代用値運転を開始させる。代用値運転を実施するときに設定される温度はあらかじめ定められた値ではなく、通信線５０が故障する前の空気調和機１０の温度情報を用いて決定される。このように、本実施の形態では空気調和機１０の運転および停止の判断を室外機２０側で実施し、通信線５０に異常が発生した場合に室外機２０が用いる温度情報は、あらかじめ定められた温度情報ではないため、室内機３０と室外機２０とを接続する通信線５０に異常が発生した場合でも、実際の室内の温度に適した運転を継続することができる。
【００３８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３９】
１０  空気調和機、２０  室外機、２１  第１の運転制御部、２２  第１のアクチュエータ装置、２３  第１の識別部、２４  第１の温度検出部、２５  記憶部、３０  室内機、３１  第２の運転制御部、３２  第２のアクチュエータ装置、３３  第２の識別部、３４  第２の温度検出部、４０  操作装置、５０  通信線、５１〜５５  温度、１００  制御回路、１００ａ  プロセッサ、１００ｂ  メモリ。
【図１】
2020208709.tif 000003
【図２】
2020208709.tif 000004
【図３】
2020208709.tif 000005
【図４】
2020208709.tif 000006
【図５】
2020208709.tif 000007
【図６】
2020208709.tif 000008
【図７】
2020208709.tif 000009
【国際調査報告】
2020208709.tif 000010
2020208709.tif 000011
2020208709.tif 000012
2020208709.tif 000013